(57)【要約】【課題】カードコネクタの小型化、薄型化を阻むことがなく、簡単な構造にもかかわらず放熱効果の高いカード放熱機構を備えるカード用コネクタを提供する。【解決手段】少なくとも、天板及び左右の側壁を有するカバー部材と少なくとも底壁、前壁及び左右の側壁を有するベース部材とで、集積回路が内蔵された小型カードの少なくとも一部が収容されるカード収容空間が形成されるカード用コネクタであって、前記ベース部材の前記前壁を貫通して、該ベース部材に弾性変形可能に支持されている複数のコンタクト、前記複数のコンタクトの後方であって、前記ベース部材に弾性変形可能に支持されている放熱機構を備え、前記放熱機構は、一端が自由端を有する少なくとも１以上の放熱片を含み、前記放熱機構は、前記ベース部材の前記底壁に形成される切欠部に配置される。【選択図】図１
2010015723.tif 000002
【特許請求の範囲】
【請求項１】
少なくとも、天板及び左右の側壁を有するカバー部材と少なくとも底壁、前壁及び左右の側壁を有するベース部材とで、集積回路が内蔵された小型カードの少なくとも一部が収容されるカード収容空間が形成されるカード用コネクタであって、
前記ベース部材の前記前壁を貫通して、該ベース部材に弾性変形可能に支持されている複数のコンタクト、
前記複数のコンタクトの後方であって、前記ベース部材に弾性変形可能に支持されている放熱機構、
を備え、
前記放熱機構は、一端が自由端を有する少なくとも１以上の放熱片を含み、
前記放熱機構は、前記ベース部材の前記底壁に形成される切欠部に配置されることを特徴とするカード用コネクタ。
【請求項２】
前記放熱機構は、前後方向に延在し、前端部が自由端である前方放熱片、該前方放熱片に続く折れ曲がり部及び該折れ曲がり部に続き、後端部がベース部材に支持される後方放熱片からなる放熱片を少なくとも１つ含み、
前記放熱機構は、上に凸の山形形状の断面を有し、
前記放熱片の前記折れ曲がり部は、前記小型カード未挿入時、前記カード収容空間内に配置されていることを特徴とする請求項１に記載のカード用コネクタ。
【請求項３】
前記放熱機構は、さらに、前記後方放熱片の後端部に連結し、左右方向に延在する細長い平坦な連結部を含み、
前記放熱機構は、前記連結部を介してベース部材に支持されることを特徴とする請求項２に記載のカード用コネクタ。
【請求項４】
前記放熱機構は、左右方向に延在する細長い平坦な支持部材、前後方向に延在し、一端が自由端であり、他端が前記支持部材に連結される前方放熱片、及び、前後方向に延在し、一端が自由端であり、他端が前記支持部材に連結される後方放熱片を含み、
前記放熱機構は、台形形状の断面を有し、前記支持部材の両端部でベース部材に上下動可能に支持され、
前記支持部材は、前記小型カード未挿入時、前記カード収容空間内に配置されていることを特徴とする請求項１に記載のカード用コネクタ。
【請求項５】
前記支持部材は、左右両端部に貫通孔が形成され、
前記ベース部材の左右側壁に直立形成されるポストを前記支持部材の前記貫通孔に通すことにより、上下動可能に支持されることを特徴とする請求項４に記載のカード用コネクタ。
【請求項６】
前記支持部材は、さらにコイルバネを有し、該コイルバネが前記支持部材の貫通孔にはめ込まれていることを特徴とする請求項５に記載のカード用コネクタ。
【発明の詳細な説明】
【技術分野】
【０００１】
本発明は、カードコネクタに関し、特に、カード放熱機構を備えるカード用コネクタに関する。
【背景技術】
【０００２】
近年、携帯電話機などの電子機器においては、集積回路を内蔵したメモリカードや機能拡張用カードなど（以下、単に、「ＩＣカード」という。）が挿入され、該ＩＣカードと電子機器とを電気的に接続するカードコネクタが知られている。該カードコネクタは、小型化、薄型化が要求される一方で、電子機器とＩＣカードとの間の信号の高速伝送化やメモリの大容量化が求められている。信号の高速伝送化や大容量化の結果として、消費電力が増大し、それに伴って、ＩＣカードが発熱し、モールド成形されたＩＣカード自体の膨張や歪または損傷、あるいは、ＩＣカードの外部接点とカードコネクタのコンタクトとの電気的な接続の不良などを招く。そのため、特許文献１に示されるように、ＩＣカードの発熱を吸収すべく、カードコネクタに装着されているＩＣカードにヒートシンクを接触させて該ＩＣカードから放熱させ、ＩＣカードを所定の温度以下に維持するカード放熱機構が知られている。
【０００３】
【特許文献１】特開２００５−３２２４９８号公報
【発明の開示】
【発明が解決しようとする課題】
【０００４】
特許文献１に示されるように、従来のカード放熱機構は、カードの挿入後または挿入に伴い、カードの上方からメモリカードにヒートシンクを接触させている。このような放熱機構の放熱特性を勘案すると、カード放熱機構をある程度大きくせざるをえない。また、ヒートシンクをＩＣカードに蜜に接触させるようにしたり、ＩＣカードの挿入に伴いヒートシンクを該ＩＣカードに接触させたりすることは、カード放熱機構を複雑な構造にさせる。
【０００５】
このことは、カードコネクタの製造を難しくするとともに、製造コストを上昇させる。また、カード放熱機構の存在により、ＩＣカード自体が小型化、薄型化されても、カードコネクタの小型化、薄型化に限界を与える。
【０００６】
本願発明の目的は、上記問題点に鑑み、カードコネクタの小型化、薄型化を阻むことがなく、簡単な構造にもかかわらず放熱効果の高いカード放熱機構を備えるカード用コネクタを提供することにある。
【課題を解決するための手段】
【０００７】
上記目的を達成するために、本願発明に係るカード用コネクタは、少なくとも、天板及び左右の側壁を有するカバー部材と少なくとも底壁、前壁及び左右の側壁を有するベース部材とで、集積回路が内蔵された小型カードの少なくとも一部が収容されるカード収容空間が形成されるカード用コネクタであって、前記ベース部材の前記前壁を貫通して、該ベース部材に弾性変形可能に支持されている複数のコンタクト、前記複数のコンタクトの後方であって、前記ベース部材に弾性変形可能に支持されている放熱機構を備え、前記放熱機構は、一端が自由端を有する少なくとも１以上の放熱片を含み、前記放熱機構は、前記ベース部材の前記底壁に形成される切欠部に配置されることを特徴とする。
【０００８】
また、本願発明に係るカード用コネクタは、前記放熱機構は、前後方向に延在し、前端部が自由端である前方放熱片、該前方放熱片に続く折れ曲がり部及び該折れ曲がり部に続き、後端部がベース部材に支持される後方放熱片からなる放熱片を少なくとも１つ含み、前記放熱機構は、上に凸の山形形状の断面を有し、前記放熱片の前記折れ曲がり部は、前記小型カード未挿入時、前記カード収容空間内に配置されていてもよい。
【０００９】
さらに、本願発明に係るカード用コネクタは、記放熱機構は、左右方向に延在する細長い平坦な支持部材、前後方向に延在し、一端が自由端であり、他端が前記支持部材に連結される前方放熱片、及び、前後方向に延在し、一端が自由端であり、他端が前記支持部材に連結される後方放熱片を含み、前記放熱機構は、台形形状の断面を有し、前記支持部材の両端部でベース部材に上下動可能に支持され、前記支持部材は、前記小型カード未挿入時、前記カード収容空間内に配置されていてもよい。
【発明の効果】
【００１０】
本願発明は、カード用コネクタのベース部材に形成される切欠部に放熱機構が弾性変形可能に配置されるので、カード用コネクタの小型化、低背化を阻むことがない。また、本願発明は、放熱に熱容量の大きいプリント基板さらにはそれが取り付けられている電子機器を利用するとともに、放熱機構を弾性変形可能に構成している。それにより、挿入される小型カードと放熱機構の接触及び放熱機構とプリント基板との接触が確実に行われ、放熱効率を向上させる。
【００１１】
さらに、放熱機構を金属薄板から形成するとともに、その形状を断面山形または台形とすることで、簡単な構造で放熱機構の弾性変形を可能とするとともに、コネクタの製造も容易である。
【発明を実施するための最良の形態】
【００１２】
以下図面を用いて本願発明に係る小型カード用カードコネクタのいくつかの実施例について説明する。
【００１３】
（第１の実施例）
図１は、本願発明の第１の実施例に係るカード用コネクタの組立分解斜視図である。図２（ａ）は、電子機器などのプリント基板上に取り付けられた図１のカード用コネクタのＩＩ−ＩＩ線に沿う概略断面図であって、ＩＣカードが挿入されていない状態を示しており、図２（ｂ）は、図２（ａ）の部分拡大断面図である。図３（ａ）は、図２（ａ）と同様に、図１のカード用コネクタの概略断面図であって、ＩＣカードが挿入された状態を示しており、図３（ｂ）は、図２（ｂ）と同様に、図３（ａ）の部分拡大断面図である。図４（ａ）は、本願発明の第１の実施例に係るカード用コネクタの変形例であって、カバー部材が取り除かれたコネクタの斜視図である。図４（ｂ）は、本願発明の第１の実施例に係るカード用コネクタのさらに別の変形例であって、図４（ａ）と同様に、カバー部材が取り除かれたコネクタの斜視図である。図９は、本願発明に係るカード用コネクタが取り付けられるプリント基板の斜視図である。
【００１４】
本願発明の第１の実施例に係るカード用コネクタ（以下、単に、「コネクタ」ともいう。）１は、図２、３に示されるように、特許文献１に示される従来のカードコネクタと同様に、電子機器などの取り付けられているプリント基板９０上に半田付けなどにより固定されている。本実施例に係るカード用コネクタ１は、小型化、薄型化された小型のＩＣカード８０とプリント基板９０とを電気的に接続する。
【００１５】
本実施例に係るカード用コネクタ１は、概略、カバー部材１０、ベース部材２０、放熱機構３０及び複数のコンタクト５０を備えている。
【００１６】
カバー部材１０は、金属薄板からプレス加工により形成され、ベース部材２０と上下に重ね合わせて組み立てることにより、ＩＣカード８０の少なくとも一部が収容されるカード収容空間５を形成する（図２（ａ）参照）。ＩＣカード８０は、カード収容空間５の後方に形成されるカード挿入口６から前方に向かってカード収容空間５内に挿入される。
【００１７】
カバー部材１０は、本実施例では、天板１１、左右一対の側壁１２、１３を備え、ベース部材２０を覆うように形成されている。符号１４は、挿入されたＩＣカード８０がコネクタ１から抜け落ちないように設けられている一対のブレーキ片であり、１５は、組み立てられたコネクタ１をプリント基板９０の固定用パッド９３（図９参照）に半田付けで固定するための一対の固定片である。なお、カバー部材１０には、ベース部材２０の前壁２４を少なくとも部分的に覆うための前壁が設けられていてもよい。
【００１８】
ベース部材２０は、絶縁性の合成樹脂から成形される。ベース部材２０は、本実施例では、底壁２１、左右一対の側壁２２、２３及び前壁２４を備えている。
【００１９】
ベース部材２０の底壁２１の前方には、複数のコンタクト５０それぞれをベース部材２０に圧入固定するために、複数の細長い溝２５が形成されている。該複数の細長い溝２５それぞれは、本実施例では、図１に示されるように、４周を壁（１つの壁は、ベース部材２０の前壁２４がこれを兼ねている。）で囲まれることで形成されている。複数の細長い溝２５それぞれは、また、前後方向すなわちカード挿入方向に延在し、互いに平行に形成される。
【００２０】
したがって、複数のコンタクト５０は、互いに平行に配置される。複数のコンタクト５０それぞれは、その接点部５１がカード収容空間５内に挿入されるＩＣカード８０の外部接点に接触し得るように片持ち梁状に溝２５内に固定、支持される。コンタクト５０それぞれの接点部５１は、上下方向に弾性変位することが可能であり、それにより、挿入されるＩＣカード８０の外部接点に所望の接圧で電気的に接触できる。複数のコンタクト５０それぞれは、また、プリント基板９０の外部接点９１（図９参照）に半田付けで接続される端子部５３がベース部材２０の前壁２４を貫通して前方に突出するように細長い溝２５内に支持されている。なお、複数のコンタクト５０それぞれのベース部材２０への固定は、このような細長い溝を設けてなる構成に限られるものではない。
【００２１】
ベース部材２０の底壁２１の中央部には、矩形状の切欠部としての窓部２６が開けられている。矩形状の窓部２６は、底壁２１を貫通するように形成されている。該窓部２６には、後述する放熱機構３０を構成する放熱片３１、３２及び３３が配置される。
【００２２】
ベース部材２０の左右の側壁２２、２３内側であって、底壁２１と交差する角部には、ＩＣカード８０の挿抜時に、該ＩＣカード８０を案内するガイドレール（図１においては、右側のガイドレール２３ａのみ示されている。）が対をなして形成される。ガイドレールは、前後方向すなわちカード挿入方向に延在する。
【００２３】
なお、本実施例においては、左側壁２２に、装着されるＩＣカード８０のライトプロテクトボタン（不図示）の位置を検出するライトプロテクトスイッチ６０及びＩＣカード８０がカードコネクタ１のカード収容空間５内に完全に挿入されたことを検出するカード認識スイッチ７０が設けられている。また、本実施例では、設けられていないが、ＩＣカード８０の挿入排出をようにするための従来周知のプッシュ・プッシュ式イジェクト機構のようなイジェクト機構が、例えば、右側壁２３に沿って設けられてもよい。なお、斯かるイジェクト機構がある場合、放熱機構３０がカード排出時の飛び出し防止用のブレーキ片としても兼用できる。
【００２４】
次に、本願発明の特徴である、放熱機構３０について説明する。放熱機構３０は、上述したように、ベース部材２０に形成された窓部２６内に配置される。熱伝導性の金属薄板からプレス加工により一体的に形成される。本実施例では、限定されるものではないが、３枚の放熱片３１、３２及び３３、及びこれらの放熱片３１、３２及び３３それぞれの一端を連結して、複数の放熱片３１、３２及び３３を一体化する連結片３４を含んでいる。連結片３４は、左右方向、すなわち、カード挿入方向と直交する方向に延在する細長い平坦な板部材である。連結片３４は、放熱片３１、３２及び３３と別体に形成されてもよいし、本実施例のように一体に形成されてもよい。あるいは、連結片３４は、省略されてもよい。
【００２５】
放熱片３１、３２及び３３それぞれは、上から見て帯状の同じ形状をしており、前後方向すなわちカード挿入方向に延在し、互いに平行に配置される。放熱片３１、３２及び３３の形状については、代表として放熱片３１を用いて説明する。放熱片３１は、図２（ａ）に示されるように、前方放熱片３１ａ、折れ曲がり部３１ｂ及び後方放熱片３１ｃからなり、断面で上に向かって凸の山形状に形成されている。このように山形状に形成することで、ＩＣカード８０がカード挿入空間５内に挿入されたとき、放熱片３１が扁平状に変形し得るように弾性変形が可能となる。
【００２６】
放熱片３１の前方放熱片３１ａの前端部分３１ｄは、ＩＣカード８０がカード収容空間５内に挿入されたとき、前端部分３１ｄは、プリント基板９０に設けられている放熱パッド９２に接触する部材であり、自由端として構成されている。該前方放熱片３１ａの前端部分３１ｄは、図２（ｂ）に示されるように、下に向かって凸の円弧状をなして、反り返るように形成されることが好ましい。このように前端部分３１ｄを反り返り構造として形成することで、前端部分３１ｄは、プリント基板９０に設けられている放熱パッド９２に対して円滑に接触し得る。また、プリント基板９０に設けられている放熱パッド９２との接触面積を大きくし、放熱効果を向上させるために、前端部分３１ｄに平坦部をさらに形成してもよい。
【００２７】
放熱片３１の折れ曲がり部３１ｂは、放熱片３１の前後方向ほぼ中間部に、カード挿入方向に対して直交して延在するように形成される。該折れ曲がり部３１ｂは、図２（ａ）に示されるように、ＩＣカード８０がカード収容空間５内に挿入されていないとき、底壁２１上面からカード収容空間５内に向かって上方に突出するように形成される。本実施例においては、折れ曲がり部３１ｂの形状は、挿入されるＩＣカード８０に対して線接触するように鈍角をなして上に凸に折り曲げられているが、これに限られるものではない。折れ曲がり部３１ｂは、円弧状に湾曲して上に凸に曲げられていてもよいし、ＩＣカード８０との接触面積を大きくし、放熱効果を向上するために、後述する第２の実施例に示されるような平坦部分を有するように折り曲げられていてもよい。
【００２８】
放熱片３１の後方放熱片３１ｃは、前方放熱片３１ａとほぼ同じ長さを有し、その後端部分は、連結片３４に連結されている。本実施例では、複数の放熱片３１、３２及び３３は、連結片３４を介してベース部材２０の底壁２１上面に熱溶着により固定される。連結片３４は、このように底壁２１への固定部材としても作用するが、底壁２１へ熱を逃がす放熱部材としても作用する。連結片３４が省略される場合、複数の放熱片３１、３２及び３３は、個々に底壁２１に固定される。その場合、例えば、放熱片３１の後方放熱片３１の後方に、平坦な延長片が該放熱片３１の固定部材として設けられることが好ましい。
【００２９】
なお、ベース部材２０の底壁２１への複数の放熱片３１、３２及び３３の固定は、これに限られるものではない。例えば、設計上許されるのであれば、放熱片３１は、連結片３４を介してベース部材２０の底壁２１の下面に固定されてもよい。また、図４（ａ）に示されるように連結片３４を介して底壁２１内に埋め込まれるインサート成形で固定されてもよいし、図４（ｂ）に示されるように、底壁２１にスリットを形成して、該スリットを介して底壁２１に圧入固定されてもよい。
【００３０】
上述のように、放熱機構３０が、複数個の放熱片３１、３２及び３３により構成されていることにより、一つの放熱片として構成される場合に比べて柔軟性があるのでカード挿入時に必要な力を小さくでき、カードの円滑な着脱操作が得られる。また、カードの反りが生じた場合であっても、放熱片３１、３２及び３３が、それぞれ、均一にカードに接触するので確実に放熱され、放熱効率が低下する虞がない。
【００３１】
複数のコンタクト５０は、上述したように、挿入されたＩＣカード８０とプリント基板９０を電気的に接続する部材であり、ベース部材２０の底壁２１前方に互いに平行に配置される。各コンタクト５０は、図２（ａ）に示されるように、ＩＣカード８０の外部接点（不図示）に接触する接点部５１及びプリント基板９０の外部接点９１に接触する端子部５３を有する。各コンタクト５０は、また、接点部５１がＩＣカード８０の外部接点に弾性的に接触するように、ベース部材２０の底壁２１に設けられた細長い溝２５内に片持ち梁状に支持されている。したがって、各コンタクト５０の各接点部５１は、カード収容空間５内に突出するようにベース部材２０に支持される。
【００３２】
以上、本願発明の第１の実施例としてのカード用コネクタ１について説明してきたが、以下、特に、放熱機構３０を構成する放熱片３１を中心にカード用コネクタの動作について図２（ａ）、（ｂ）及び図３（ａ）、（ｂ）を用いて説明する。
【００３３】
図２（ａ）は、ＩＣカード８０がカード収容空間５内に挿入されていない状態を示している。この時、その一端が連結片３４を介してベース部材２０の底壁２１に固定されている放熱機構３０の放熱片３１の折れ曲がり部３１ｂは、ベース部材２０の底壁２１の上面から、その上方に位置するカード収容空間５内に突出している。本実施例では、図２（ｂ）に示されるように、放熱片３１の自由端である前端部分３１ｄは、プリント基板９０から上方に離れて配置されている。しかしながら、前端部分３１ｄは、このような配置に限られるものではなく、プリント基板９０（の放熱パッド９２）に接触するように配置されていてもよい。また、コンタクト５０の接点部５１も、溝２５から上方のカード収容空間５内に突出している。
【００３４】
図２（ａ）に示される状態において、カード挿入口６からＩＣカード８０を挿入すると、放熱機構３０の放熱片３１の折れ曲がり部３１ｂがＩＣカード８０の先端面８１または段部８３に接触する。それにより、放熱片３１の前端部分３１ｄは下方に押し下げられ、プリント基板９０の上面に接触する。
【００３５】
さらに、ＩＣカード８０が挿入され、ＩＣカード８０の先端面８１がベース部材２０の前壁２４の後面に到達すると、放熱片３１の折れ曲がり部３１ｂがＩＣカード８０の底面８２に接触する。したがって、上に凸に山形形状をしている放熱片３１は、図３（ａ）に示されるように、底壁２１の窓部２６内で扁平状に延在する。この時、放熱片３１の前端部分３１ｄは、プリント基板９０に設けられた放熱パッド９２に接触する（図３（ｂ）参照）。なお、前端部分３１ｄは、底壁２１の窓部２６に当たらないように、放熱片３１の前後方向の長さが調節されていることは言うまでもない。
【００３６】
図３（ａ）に示される状態で、ＩＣカード８０とプリント基板９０との間で、信号が高速で送受信されるが、ＩＣカード８０に蓄積される熱は、放熱機構３０の作用で放熱され、ＩＣカード８０の温度上昇が抑制される。具体的には、ＩＣカード８０に蓄積される熱は、放熱機構３０を構成する複数の放熱片３１、３２及び３３のそれぞれの前端部分や連結片３４を介して、熱容量の大きいプリント基板９０へ流れる。
【００３７】
また、図３（ａ）の状態にあるとき、複数の放熱片３１、３２及び３３が扁平状に弾性変形しているので、その反発力により該ＩＣカード８０は、カバー部材１０の天板１１に押し付けられる。それにより、ＩＣカード８０は、上下方向の位置決めがなされ、複数のコンタクト５０との所定の接触圧を得ることが期待できるとともに、金属製のカバー部材１０を介しての放熱も期待できる。
【００３８】
（第２の実施例）
図５は、本願発明の第２の実施例に係るカード用コネクタの組み立て分解斜視図である。図６（ａ）は、電子機器のプリント基板上に取り付けられた図５のカード用コネクタのＶＩ−ＶＩ線に沿う概略断面図であって、ＩＣカードが挿入されていない状態を示しており、図６（ｂ）は、図６（ａ）の部分拡大断面図である。図７（ａ）は、図６（ａ）と同様に、図５のカード用コネクタの概略断面図であって、ＩＣカードが挿入された状態を示しており、図７（ｂ）は、図６（ｂ）と同様に、図７（ａ）の部分拡大断面図である。図８（ａ）は、本願発明の第２の実施例に係るカード用コネクタの変形例であって、電子機器のプリント基板上に取り付けられた該カード用コネクタの概略断面図であって、ＩＣカードが挿入されていない状態を示しており、図８（ｂ）は、図８（ａ）の部分拡大断面図である。
【００３９】
本願発明の第２の実施例に係るカード用コネクタが図５ないし図７（ｂ）に示される。本実施例におけるコネクタ２０１は、第１の実施例に係るコネクタ１と比べて、基本的に放熱機構２４０の構造が異なり、それに伴い、ベース部材２２０の構造が第１の実施例と若干異なるのみである。したがって、第１の実施例のコネクタ１と同じ部材に対する符号に関しては、単に２００を付して表示し、説明を省略する。
【００４０】
先ず、ベース部材２２０に関して説明する。ベース部材２２０の底壁２２１は、後方が開放している矩形状の切欠部２２７が設けられている。該矩形状の切欠部２２７には、放熱機構２４０を構成する複数の放熱片が配置される。また、ベース部材２２０の左右の側壁２２２及び２２３には、所定の場所に、一対の収容凹部（図５においては、右側壁２２３に形成される収容凹部のみ示されている。）２２８が互いに対向するように設けられる。収容凹部２２８は、上方及び内側（カード収容空間２０５）に向かって開放されており、放熱機構２４０を構成する支持部材２４６の左右の両端部をそれぞれ収容できるように形成されている。収容凹部２２８の底面とベース部材２２０の底壁２２１の上面とは面一に形成される。一対の収容凹部２２８、２２８には、それぞれ、収容凹部２２８の底面から垂直に立ち上がる円柱状のポスト２２９（図５では、右側壁２２３側のみ示されている。）が設けられる。一対の円柱状のポスト２２９、２２９は、それぞれ、ベース部材２２０の左右のガイドレールより外側（カード収容空間２０５と反対側）に設けられる。なお、本実施例では、ポスト２２９の形状は、円柱状としているが、これに限定されるものではない。
【００４１】
次に、第２の実施例に係る放熱機構２４０に関して説明する。本実施例における放熱機構２４０は、図５及び図６（ａ）に示されるように、複数の放熱片、及び該複数の放熱片を連結し、ベース部材２２０に保持させる平坦な支持部材２４６を含んでいる。
【００４２】
支持部材２４６は、左右方向に延在する平坦な板状部材であり、その左右両端部は、後述するベース部材２２０の左右の側壁２２２、２２３にそれぞれ設けられる一対のポスト２２９を越えて延在する。支持部材２４６の左右両端部には、円柱状のポスト２２９の直径より若干大きい内径を有する貫通孔（図５では、右端部に形成された貫通孔２４６ｂのみ示されている。）が形成される。該貫通孔に、円柱状のポスト２２９が通されることにより、支持部材２４６は、該ポスト２２９を介して上下動自在にベース部材２２０に支持される。支持部材２４６は、また、図６（ａ）に示されるように、ＩＣカード２８０が挿入されていないとき、カード収容空間２０５内に位置するように配置される。
【００４３】
本実施例では、放熱片は、支持部材２４６の前後に４つずつ計８個設けられている。具体的には、支持部材２４６の前方に前方放熱片２４１ａ、２４１ｂ、２４１ｃ、２４１ｄが、支持部材２４６の後方に後方放熱片２４２ａ、２４２ｂ、２４２ｃ、２４２ｄが、支持部材２４６に連結されている。放熱機構２４０を構成する複数の放熱片２４１ａないし２４１ｄ、２４２ａないし２４２ｄと支持部材２４６は、第１の実施例の放熱機構３０と同様に、熱伝導性の金属薄板からプレス加工により一体に形成されてもよいし、あるいは、複数の放熱片と支持部材２４６とがそれぞれ別部材として形成されて後、放熱機構２４０として一体的に連結されてもよい。
【００４４】
複数の放熱片、本実施例では、前方放熱片２４１ａないし２４１ｄ及び後方放熱片２４２ａないし２４２ｄ、それぞれは、上から見て、いずれも同じ形状であり、支持部材２４６から互いに平行に前後方向に延在している。
【００４５】
本実施例では、図６（ａ）に示されるように、前方放熱片２４１ａないし２４１ｄは、それぞれ、支持部材２４６前端から前方下方に向かって傾斜するように折り曲げられている。同様に、後方放熱片２４２ａないし２４２ｄも、それぞれ、支持部材２４６後端から後方下方に向かって傾斜するように折り曲げられている。複数の前方放熱片２４１ａないし２４１ｄ及び複数の後方放熱片２４２ａないし２４２ｄそれぞれの自由端は、第１の実施例における放熱片３１の前端部分４１ｄと同様に、下に凸の反り返り構造とされることが好ましい（図６（ｂ）参照）。
【００４６】
本実施例における放熱機構２４０は、図６（ａ）に示されるように、前方放熱片、平坦な支持部材及び後方放熱片とで、断面で台形形状をなしている。放熱機構２４０がこのように形成されることで、放熱機構２４０を構成する支持部材２４６は、前後に傾斜して設けられる複数の放熱片２４１ａないし２４１ｄ、２４２ａないし２４２ｄを介してプリント基板２９０に対して弾性的に上下動することが可能である。また、上述したように、支持部材２４６がカード収容空間２０５内に配置されるように設計されることで、支持部材２４６は、ＩＣカード２８０が挿入されることで、カード収容空間２０５から押し出される。それにより、台形形状の放熱機構２４０は、図７（ａ）に示されるように、扁平状にされる。
【００４７】
次に、本実施例に係るカード用コネクタにおいて、ＩＣカード２８０の挿入時における動作について簡単に説明する。
【００４８】
本実施例では、図６（ａ）に示されるように、ＩＣカード２８０が挿入されていないとき、放熱機構２４０は、台形形状をなしており、放熱機構２４０を構成する支持部材２４６は、カード収容空間２０５内に配置される。また、放熱機構２４０を構成する複数の放熱片２４１ａないし２４１ｄ、２４２ａないし２４２ｄそれぞれの自由端は、図６（ｂ）に示されるように、プリント基板２９０に接触している。
【００４９】
図６（ａ）の状態において、ＩＣカード２８０をカード挿入口２０６からカード収容空間５内に挿入すると、ＩＣカード２８０の下面が平坦な支持部材２４６に接触し、これを押し下げる。ＩＣカード２８０がカード収容空間２０５内に完全に挿入されると、図７（ａ）に示されるように、放熱機構２４０は、ほぼ扁平状になり、複数の放熱片２４１ａないし２４１ｄ、２４２ａないし２４２ｄそれぞれの自由端もプリント基板２９０の放熱パッド（図９参照）に完全に接触する。本実施例においても、第１の実施例と同様、図７（ａ）の状態で、ＩＣカード２８０とプリント基板２９０との間で、信号が高速で送受信される。この時、ＩＣカード２８０に蓄積される熱は、第１の実施例と同様、放熱機構２４００の作用で放熱され、ＩＣカード２８０の温度上昇が抑制される。
【００５０】
上述のように、放熱機構２４０が、複数個の放熱片により構成されていることにより、一つの放熱片として構成される場合に比べて柔軟性があるのでカード挿入時に必要な力を小さくでき、カードの円滑な着脱操作が得られる。また、カードの反りが生じた場合であっても、放熱片が、それぞれ、均一にカードに接触するので確実に放熱され、放熱効率が低下する虞がない。
【００５１】
本実施例に係る放熱機構２４０の変形例が、図８（ａ）、（ｂ）に示されている。この変形例では、放熱機構２４０は、コイルバネ２４７を介して支持されている。具体的には、コイルバネ２４７は、放熱機構２４０を構成する支持部材２４６の両端部に形成されている一対の貫通孔それぞれに一体的に組み込まれる。その後、支持部材２４６に組み込まれたコイルバネ２４７が、図８（ａ）に示されるように、ベース部材２２０に設けられている一対のポスト２２９それぞれに嵌め込まれる。コイルバネ２４７の内径は、貫通孔の内径とほぼ同じであり、円柱状のポスト２２９に該ポスト２２９の外径より若干大きくなるように設定される。
【００５２】
このようにコイルバネ２４７を用いて支持部材２４６を支持することにより、ＩＣカード２８０の交換時に放熱機構２４０がカバー部材２１０の天板側に移動することがない。例えば、設計上電子機器に装着されているコネクタの姿勢が逆さまにならざるをえない場合、ＩＣカード２８０がコネクタから取り出されたとき、放熱機構２４０は、コイルバネ２４７の存在により、カバー部材２１０の天板側に落ち込むことを防止される。それにより、次に、ＩＣカード２８０が挿入されるとき、放熱機構２４０は、該ＩＣカード２８０の挿入を阻害することがない。なお、本変形例に係るカード用コネクタの動作については、上記第２の実施例とほぼ同じであるので説明を省略する。
【図面の簡単な説明】
【００５３】
【図１】本願発明の第１の実施例に係るカード用コネクタの組立分解斜視図である。
【図２】電子機器などのプリント基板上に取り付けられた図１のカード用コネクタのＩＩ−ＩＩ線に沿う概略断面図であって、（ａ）は、ＩＣカードが挿入されていない状態を示しており、（ｂ）は、（ａ）の部分拡大断面図である。
【図３】図２（ａ）と同様に、図１のカード用コネクタの概略断面図であって、（ａ）は、ＩＣカードが挿入された状態を示しており、（ｂ）は、図２（ｂ）と同様に、（ａ）の部分拡大断面図である。
【図４】本願発明の第１の実施例に係るカード用コネクタの変形例であって、（ａ）は、カバー部材が取り除かれたコネクタの斜視図であり、（ｂ）は、本願発明の第１の実施例に係るカード用コネクタのさらに別の変形例であって、（ａ）と同様に、カバー部材が取り除かれたコネクタの斜視図である。
【図５】本願発明の第２の実施例に係るカード用コネクタの組み立て分解斜視図である。
【図６】電子機器のプリント基板上に取り付けられた図５のカード用コネクタのＶＩ−ＶＩ線に沿う概略断面図であって、（ａ）は、ＩＣカードが挿入されていない状態を示しており、（ｂ）は、（ａ）の部分拡大断面図である。
【図７】図６（ａ）と同様に、図５のカード用コネクタの概略断面図であって、（ａ）は、ＩＣカードが挿入された状態を示しており、（ｂ）は、図６（ｂ）と同様に、（ａ）の部分拡大断面図である。
【図８】本願発明の第２の実施例に係るカード用コネクタの変形例であって、（ａ）は、電子機器のプリント基板上に取り付けられた該カード用コネクタの概略断面図であって、ＩＣカードが挿入されていない状態を示しており、（ｂ）は、（ａ）の部分拡大断面図である。
【図９】本願発明に係るカード用コネクタが取り付けられるプリント基板の斜視図である。
【符号の説明】
【００５４】
１、２０１          カード用コネクタ
５、２０５          カード収容空間
６、２０６          カード挿入口
１０、２１０        カバー部材
１１、２１１        天板
１２、２１２        左側壁
１３、２１３        右側壁
２０、２２０        ベース部材
２１、２２１        底壁
２２、２２２        左側壁
２３、２２３        右側壁
２４、２２４        前壁
２６                窓部（切欠部）
３０                放熱機構（第１の実施例）
３１、３２、３３    放熱片
３１ａ              （放熱片３１の）前方放熱片
３１ｂ              （放熱片３１の）折れ曲がり部
３１ｃ              （放熱片３１の）後方放熱片
３４                連結片
５０、２５０        コンタクト
８０、２８０        小型カード（ＩＣカード）
９０、２９０        プリント基板
２２７              切欠部
２２９              ポスト
２４０              放熱機構（第２の実施例）
２４１ａ、２４１ｂ、２４１ｃ、２４１ｄ  前方放熱片
２４２ａ、２４２ｂ、２４２ｃ、２４２ｄ  後方放熱片
２４６              支持部材
２４７              コイルバネ
【図１】
2010015723.tif 000003
【図２】
2010015723.tif 000004
【図３】
2010015723.tif 000005
【図４】
2010015723.tif 000006
【図５】
2010015723.tif 000007
【図６】
2010015723.tif 000008
【図７】
2010015723.tif 000009
【図８】
2010015723.tif 000010
【図９】
2010015723.tif 000011